(57)【要約】      （修正有）【課題】刃の形状や操作方法或いは把持の方法等、使用状況に合わせて形状を変更しうるはさみを提供する。【解決手段】はさみの刃片１と操作部材２，３を脱着可能とし、各部材の接合部分を合致する形状とすることで、刃片と操作部材を自由に組み合わせることができるようにする。使用者が使用状況に合わせた形状の部材を組み立ててはさみを完成させ、使用する。操作部材に、手に固定するための部品６をもつものを用意することで、部材の交換によって手に固定可能なはさみを得ることも可能とする。【選択図】        図１
2004267716.tif 000002
【特許請求の範囲】
【請求項１】
操作部材が交換可能で、手に固定するための部品を備えた操作部材を取り付けることが出来るはさみ。
【発明の詳細な説明】
【０００１】
【発明の属する技術分野】
本発明は、はさみに係り、切断の方法とそれに対応した刃片及び柄その他の操作部材に関する。
【０００２】
【従来の技術】
従来のはさみは、物を切断するための刃をもった部分である刃片と、切断のための操作を行うための部分である指入れ等の操作部分に関し、刃と操作部が一体となった部材を組み合わせ、或いは刃片と操作部材を固定して組み合わせることで、一つのはさみが形成されていた。そのため、はさみの形状によって操作方法が限定されることとなり、使用状況に応じて各種の、操作部分或いは刃の形状が違う別々のはさみを用意する必要があった。
【０００３】
従来、はさみを使用する場合には、はさみを手で把持することが必要であったが、はさみを把持した方の手の動作は、切断以外の動作を行うことが困難であった。はさみを手に固定すれば、はさみを持ったまま両手共に切断以外の動作を行うことは可能となる。この点に関し、実登３０８９０７５号広報には手に固定することが可能なはさみが開示されているが、はさみの形状が特殊なものとなり、手に固定して使用する必要のない状況においては、柄その他の、別の形状をもったはさみを使用した方が、切断すべき物に合わせた、より適切な操作を行うことができる。このため実登３０８９０７５号開示のはさみにあっては、操作方法が限定されるため、切断される物の形状も限定される結果となる。
【０００４】
【発明が解決しようとする課題】
従来のはさみにあっては、切断物や操作方法等に合わせて、適切な形状のはさみを、何種類も別々に用意する必要があった。その場合、使用者は多種ある既存のはさみの中から使用状況に適合するはさみを選択しなければならなかったが、使用者の意図に適合する特定の形状をもったはさみは必ずしも前もって用意されているとは限らないため、一時的な使用状況にすぎない場合であっても、新たな別のはさみを入手して対応する必要のある場合が存在する。更に、切断物の形状に対して、刃の形状は適合していても操作方法が適切でない、或いは操作方法は適切であっても刃の形状が適合していない等、はさみの形状が使用者の意図に必ずしも適合しない場合がある。また、形が適当であっても、はさみの大きさを変えることは不可能であった。本発明は、多種で別々に独立したはさみを用意することなく、刃の形状或いは操作方法等における使用者の意図に適合する形状のはさみを提供することを目的とする。
【０００５】
【課題を解決するための手段】
はさみの形状を使用者の意図に適合したものにするために、はさみの刃片と操作部材を脱着、分解が可能な構造とし、数種類の部材の中から、それぞれの部材を使用者が自由に選択できるようにする。使用者が意図に適合する形状の刃片及び操作部材を組み合わせ、使用状況に応じた形状のはさみを作って使用する。手に固定する事を可能とする機能をもった操作部材を用意しておくことで、はさみの把持に関しても、使用者の意図に適合するはさみの形状を、使用者が使用状況に応じて作り、使用する。
【０００６】
【発明の実施の形態】
はさみを構成する部材を、刃片の部分と操作部材の部分との二群に分け、それぞれ別に設計する。それぞれの部材は数種類の形状をもつが、刃片と操作部材との接合部分は、他方の部材群のいずれの部材とも接合可能なように、他方の部材群の部材に設けられた接合部分と対応した、同一の形状をもつ。刃片と操作部材に留め具を設けておくことで脱落が防がれる。
【０００７】
刃片は、刃の部分の形状或いは大きさ等が異なるものを数種製作する。刃片の部材として、ナイフや鋸等の、他種の切断用の道具の形状のものも用意しておくと、適当な操作部材と組み合わせることで、はさみ以外の切断用の道具として使用することが可能である。はさみの刃片を対にして固定することなく、連結軸をボルトにすること等によって、刃片の連結部分も脱着可能としておき、二種の刃片を片方ずつ自由に組み合わせて用いることが出来るように刃片部分を構成してもよい。
【０００８】
操作部材は、環状や棒状その他の、形状或いは大きさ等が異なるものを数種製作する。操作部材として、ゴムその他の素材で出来たベルト等の部品をもつものを用意しておくことで、はさみを手に固定することが可能となる。
【０００９】
はさみの使用者は、使用状況に適合する形状の刃片と操作部材を選択して組み合わせ、はさみを組み立てて使用する。
【００１０】
【実施例】
以下、本発明の実施例を、図面を参照しながら説明する。
【００１１】
図４に示される刃片には、刃、連結軸７を通すための穴、操作部材に挿入する部分、刃片と操作部材の固定装置が設けられている。連結軸用の穴と挿入部分との間に、挿入部分より断面積の大きい部分を設けることで、操作部材が一定の位置に取り付けられるようにする。
【００１２】
挿入部分の断面の形状は、本例において図７で示す三角形のように、多角形或いは楕円等の、ねじれによるずれを防止しうる形状とする。
【００１３】
刃片と操作部材の固定方法は特に方式を問わないが、本例ではボルトとナットによる方式を用いる。
【００１４】
連結軸用の穴と挿入部分との間に広い部分を設けることで、この部分に図６に示すような、開閉動作を補助するためのばね８を取り付ける部分を設けることができる。
【００１５】
一対の刃片１を連結軸７で結合したものに、ばね８を取り付けると、図４に示されるような状態となる。
【００１６】
操作部材には、刃片の挿入部分に対応する形状の、刃片を差し込むための穴を開けておく。
【００１７】
刃片１を、環状の指入れ部をもった操作部材５に挿入し、ナット４を用いて固定すると、図３に示されるような通常の形式のはさみとなる。
【００１８】
図１には、手に固定することが可能なはさみが示されている。操作部材２及び３には、刃片及び操作部材を交差させて取り付けることを可能とするための空間が設けられている。操作部材３に、図４で示される刃片の片方を挿入してナット４で固定し、更に他方の刃片を操作部材２に挿入してナット４で固定する。操作部材２にはベルト６が取り付けられており、ベルト６によって、はさみを手に固定することを可能とする。
【００１９】
操作部材２に関しては、ベルト６を付けない或いは取り外し可能としておくことで、組み立てられたはさみは握りばさみとして用いることができる。
【００２０】
【発明の効果】
本発明は、以上説明したような構成によって、以下のような効果を得ることができる。
【００２１】
刃片と操作部材は接合部分の形状が合致するものであるため、刃片と操作部材の組み合わせは使用者が自由に選択しうる。はさみの形状を自由に変更することができるため、使用者は、使用状況に合わせた、意図に適合する形状のはさみを得ることが可能となる。
【００２２】
はさみを手に固定して用いる場合には、操作部材を交換することで目的を達することが可能なため、特殊な形状をもったはさみを特別に用意する必要がなくなる。
【００２３】
ナイフの形状をもつ刃片をベルト６の付いた操作部材２と組み合わせることによって、手に固定することのできるナイフを作り出す等、はさみのみならず他の種類の切断用道具に関しても使用者の意図に合わせた形状のものを得ることが可能となる。
【図面の簡単な説明】
【図１】手に固定するための操作部材を装着した実施例の側面図
【図２】手に固定するための操作部材を装着した実施例の上面図
【図３】指入れ部のある操作部材を装着した実施例の側面図
【図４】連結軸によって結合された刃片の側面図
【図５】刃片の上面図
【図６】刃片の底面図
【図７】刃片を後方から見た図
【図８】刃片を前方から見た図
【符号の説明】
１  刃片
２  ベルトを装着する部分をもつ操作部材
３  ベルトのない操作部材
４  ナット
５  指入れ部をもつ操作部材
６  ベルト
７  連結軸
８  ばね
【図１】
2004267716.tif 000003
【図２】
2004267716.tif 000004
【図３】
2004267716.tif 000005
【図４】
2004267716.tif 000006
【図５】
2004267716.tif 000007
【図６】
2004267716.tif 000008
【図７】
2004267716.tif 000009
【図８】
2004267716.tif 000010